(57)【要約】【課題】透光窓を有するカバー体において、より均一な光沢感のあるカバー体及びカバー体が取り付けられた電子機器を提供する。【解決手段】電子機器本体の表示部及び／又は受光部を有するフロントパネルを被覆して取り付けられるカバー体において、カバー体は、一部透光性を有する透光窓が形成される透明基板１４と、透明基板１４のフロントパネルに面する側の面上に形成された金属蒸着膜１５と金属蒸着膜１５上の透光窓を除いた面上に黒色の顔料により形成された黒色膜１６と、金属蒸着膜１５上の透光窓を含む面上に形成された反射層１７とから構成され、透光窓が前記表示部及び／又は受光部に対応する位置になるように、電子機器本体に取り付けられる。  【選択図】図２
2009087410.tif 000002
【特許請求の範囲】
【請求項１】
電子機器本体の表示部及び／又は受光部を有するフロントパネルを被覆して取り付けられるカバー体において、
前記カバー体は、一部透光性を有する透光窓が形成される透明基板と、
前記透明基板のフロントパネルに面する側の面上に形成された金属蒸着膜と
前記金属蒸着膜上の透光窓を除いた面上に黒色の顔料により形成された黒色膜と、
前記金属蒸着膜上の透光窓を含む面上に形成された反射層とから構成され、
前記透光窓が前記表示部及び／又は受光部に対応する位置になるように、前記電子機器本体に取り付けられる
ことを特徴とするカバー体。
【請求項２】
前記反射層は、透明テープまたは透明印刷膜からなる
ことを特徴とする請求項１記載のカバー体。
【請求項３】
表面が黒又は黒に準ずる色である前記電気機器本体のフロントパネルに取り付けられる
ことを特徴とする請求項１記載のカバー体。
【請求項４】
表面が黒又は黒に準ずる色である前記電気機器本体のフロントパネルに取り付けられる
ことを特徴とする請求項２記載のカバー体。
【請求項５】
前記透明基板は透明アクリル板からなる
ことを特徴とする請求項１記載のカバー体。
【請求項６】
電子機器本体の表示部及び／又は受光部を有するフロントパネルにカバー体が取り付けられてなる電子機器において、
前記カバー体は、一部透光性を有する透光窓が形成される透明基板と、
前記透明基板のフロントパネルに面する側の面上に形成された金属蒸着膜と
前記金属蒸着膜上の透光窓を除いた面上に黒色の顔料により形成された黒色膜と、
前記金属蒸着膜上の透光窓を含む面上に形成された反射層とから構成され、
前記透光窓が前記表示部及び／又は受光部に対応する位置になるように、前記電子機器本体に取り付けられる
ことを特徴とする電子機器。
【請求項７】
前記反射層は、透明テープまたは透明印刷膜からなる
ことを特徴とする請求項６記載の電子機器。
【請求項８】
表面が黒又は黒に準ずる色である前記電気機器本体のフロントパネルに取り付けられる
ことを特徴とする請求項６記載の電子機器。
【請求項９】
表面が黒又は黒に準ずる色である前記電気機器本体のフロントパネルに取り付けられる
ことを特徴とする請求項７記載の電子機器。
【請求項１０】
前記透明基板は透明アクリル板からなる
ことを特徴とする請求項６記載の電子機器。
【発明の詳細な説明】
【技術分野】
【０００１】
本発明は、例えばＤＶＤレコーダ等の電子機器本体において、前面の操作部及び表示部が設けられたフロントパネルを覆い隠すように取り付けられるカバー体及び、カバー体が取り付けられた電子機器に関する。
【背景技術】
【０００２】
従来、ＤＶＤレコーダ等の電子機器において、電子機器のフロントパネルには、ディスクを入れるディスクトレイや、電源ボタン、録画／再生ボタン等の操作部や、操作状況が表示される表示部が備えられている。そして、それらの操作部や表示部を覆い隠すように、例えば開閉自在に支持されたフロント扉等のカバー体を設けることにより、外観を美的にかつシンプルに見せている。
【０００３】
電子機器本体のフロントパネルに、例えば開閉自在なカバー体としてフロント扉を設ける構成としては、特許文献１がある。特許文献１のＶＴＲのフロント扉は、透明タッチパネルと、フロント扉の開時に光源の照射により操作表示を透明タッチパネル上に映し出す透明表示部材とで構成されている。そして、透明表示部材上に、透明メジウムインクとパール顔料とを所定比率で混合した印刷インキにより操作表示を印刷する。これにより、フロント扉の閉時に、ＶＴＲ本体に設けられた表示部の表示を、フロント扉を通して見ることができる一方、透明表示部材に印刷された操作表示の印刷表示は目立たず見えない。しかし、フロント扉の開時には、操作表示に光源を照射することにより、操作表示を浮き上がらせて容易に見ることができる。
【０００４】
ところで、近年、デザインの多様化により、外観がシンプルでスマートに見えるカバー体として、より光沢感を増したデザインのカバー体が提供されている。このカバー体は、透明アクリル板の裏面（フロントパネルに面する側の面）全面に金属粒が蒸着され、黒系の顔料が印刷されることにより形成されている。このような構成のカバー体（以下フロント部品）は、表面から見ると、外光反射により光沢を持ったフロント部品として、きれいに見える。そして、黒系の顔料が印刷されることにより、フロントパネルに設けられた操作部等が外側から透けて見えないため、デザインがシンプルなフロント部品とすることができる。ところで、このようなフロント部品では、フロントパネルの操作時及び動作時に点灯する光源が設けられた表示部が、フロント部品を通して外側から見えるように、光を透過する透光窓がフロント部品の一部に設けられている。すなわち、この透光窓部分では、黒色の顔料が印刷されていない。このような構成により、例えばフロント部品を閉じたまま操作して表示部の光源が点灯した場合に、その光が透光窓を通してフロント部品の表面側に出射されるため、フロント部品表面では光の表示が浮かび上がって見える。
【０００５】
しかしながら、従来のフロント部品では、透光窓部分では黒色の顔料が印刷されていないので、透光窓の境目、すなわち黒系の顔料が印刷されている部分と印刷されていない部分の境目が表面から見えてしまい、表面の光沢感が均一でないという問題があった。このため、フロント部品において、全体的に均一な光沢感を出してシンプルに見せたいという、所望のデザインが反映されていなかった。
【０００６】
【特許文献１】特開平４−０２１４２８６号公報
【発明の開示】
【発明が解決しようとする課題】
【０００７】
本発明は、上述の点に鑑み、透光窓を有するカバー体において、より均一な光沢感のあるカバー体、及びカバー体が取り付けられた電子機器を提供する。
【課題を解決するための手段】
【０００８】
上記課題を解決し、本発明の目的を達成するため、本発明のカバー体は、電子機器本体の表示部及び／又は受光部を有するフロントパネルを被覆して取り付けられるカバー体において、カバー体は、一部透光性を有する透光窓が形成される透明基板と、透明基板のフロントパネルに面する側の面上に形成された金属蒸着膜と金属蒸着膜上の透光窓を除いた面上に黒色の顔料により形成された黒色膜と、金属蒸着膜上の透光窓を含む面上に形成された反射層とから構成され、透光窓が前記表示部及び／又は受光部に対応する位置になるように、電子機器本体に取り付けられることを特徴とする。
【０００９】
本発明のカバー体では、透光窓において、反射層が形成されることにより、透光窓と透光窓以外の部分における境目が見えないようになる。
【００１０】
また、本発明の電子機器は、電子機器本体の表示部及び／又は受光部を有するフロントパネルにカバー体が取り付けられてなる電子機器において、カバー体は、一部透光性を有する透光窓が形成される透明基板と、透明基板のフロントパネルに面する側の面上に形成された金属蒸着膜と金属蒸着膜上の透光窓を除いた面上に黒色の顔料により形成された黒色膜と、金属蒸着膜上の透光窓を含む面上に形成された反射層とから構成され、透光窓が前記表示部及び／又は受光部に対応する位置になるように、電子機器本体に取り付けられることを特徴とする。
【００１１】
本発明の電子機器では、カバー体の透光窓において、反射膜が形成されているので、表面が均一な光沢を有するカバー体により、フロントパネルが覆われる。
【発明の効果】
【００１２】
本発明のカバー体によれば、カバー体の透光窓と、透光窓以外の部分における外観が均一となり、シンプルなデザインのカバー体が得られる。
【００１３】
また、本発明の電子機器によれば、フロントパネルの表面を外観均一でシンプルに見せる電子機器を提供することができる。
【発明を実施するための最良の形態】
【００１４】
以下、図面を参照して本発明の実施の形態を説明する。
【００１５】
図１〜図３に、本発明の一実施形態に係るカバー体を有する電子機器を示す。本実施形態例においては、電子機器としてＤＶＤの録画・再生を行う為のＤＶＤレコーダを例とするが、これに限定されるものではない。
【００１６】
本実施形態例のＤＶＤレコーダ１は、図３に示すように、電子機器本体であるＤＶＤレコーダ本体２とＤＶＤレコーダ本体２の前面に取り付けられるカバー体であるフロント扉３から構成される。
ＤＶＤレコーダ本体２の前面のフロントパネル４には、ＤＶＤディスクを挿入するディスクトレイと、各操作部及び表示部等が構成されている。以下に詳述する。
【００１７】
フロントパネル４の中央上部にはディスクトレイ５が構成されており、ＤＶＤディスクをディスクトレイ５に挿入するときは、ディスクトレイ５が手前に押し出される。
フロントパネル４の左側上部には、録画・再生ボタン等の操作部６が構成されている。この操作部６には、録画・再生ボタン以外にも、モード切替ボタンなど、所望の操作部が構成されている。
フロントパネル４の右側上部には、例えば音声・映像入出力端子等の端子部７が構成されており、ここにおいて、他の機器との接続がなされる。
フロントパネル４の中央下部には、ＤＶＤレコーダ１の操作時に光るように構成されたインジケータ８が設けられている。このインジケータ８は、例えばＤＶＤレコーダ１の再生時に光る構成とされている。
フロントパネル４の左側下部には、ＤＶＤレコーダ１の操作状況を表示する矩形の表示部９が構成されている。この表示部９には、「ＰＯＷＥＲ」、「ＰＬＡＹ  ＭＯＤＥ」等の文字や、再生時間を示す数字が表示される。矩形の表示部９は、フロントパネル４の表面に嵌着された透明な表示板と、ＤＶＤレコーダ本体２内部に組み込まれた図示しない蛍光表示管とから構成される。このような表示部９において、蛍光表示管による表示が表示板を透過して、表示部９に所望の文字や数字が表示される。
フロントパネル４の右側下部には、リモコンの受光部１０が構成されている。リモコン操作された際に、リモコンから送信される赤外線信号がこの受光部１０に入射することにより、ＤＶＤレコーダ１が操作される。
【００１８】
そして、本実施形態例においては、上述したフロントパネル４の表面が全体的に黒色で構成される。すなわち、ディスクトレイ５や、操作部６及び表示部９等も黒色で構成される。本実施形態例では、フロントパネル４を黒色とする例としたが、黒色に限られるものではなく、灰色や暗めの濃い色であり、黒に準ずる色であればよい。
【００１９】
また、本実施形態例のフロント扉３は、ＤＶＤレコーダ本体２のフロントパネル４全面を覆うような形状である。
図１に本実施形態例のフロント扉３の概略構成を示す。本実施形態例のフロント扉３は、透明基板である透明アクリル板から構成されるフロント扉本体１１と、フロント扉３の背面にあって、フロント扉本体１１を補強してＤＶＤレコーダ本体２に取り付けるための支持部材１２とから構成される。
【００２０】
フロント扉３本体には、光を透過する矩形の透光窓１３が上下に３個ずつ、計６個形成されている。本実施形態においては、後述するように、フロント扉本体１１において透光窓を除く部分は光を透過しない構成とされている。
【００２１】
図２に、図１におけるフロント扉本体１１のＡ−Ａ線上の断面構成を示す。このＡ−Ａ断面構成は、フロント扉本体１１の透光窓１３が構成される部分の断面をとったものである。図のフロント扉本体１１においてＤＶＤレコーダ本体２に面する側を内側とし、反対の面を外側とする。
【００２２】
図２に示すように、フロント扉本体１１は、透明基板である例えば透明アクリル板１４からなり、この透明アクリル板１４のＤＶＤレコーダ本体２に面する面上、すなわち内側に金属粒が蒸着された金属蒸着膜１５が形成されている。金属蒸着膜１５は、例えばクロム蒸着やアルミ蒸着により形成される。そして、金属蒸着膜１５が形成された面上には、黒色の顔料からなる黒色膜１６が透光窓１３となる部分を除いた位置に形成されている。黒色膜１６が形成された部分においては、光は透過されなくなる。そして、黒色膜１６が形成された面上において、透光窓１３上には、反射層１７が形成される。反射層１７は、透光窓１３を含む位置に形成されればよく、フロント扉本体１１全面に反射層１７が塗布される構成であってもよい。また、反射層１７は、例えばＰＥＴ材からなる透明なテープを貼るような構成としても良いし、透明なレジンや、メジウムインキを印刷して形成する透明印刷膜で構成しても良い。また、透明なテープ又は透明印刷膜は着色されてあってもよく、透光性を有するものであればよい。
【００２３】
本実施形態例では、透明アクリル板１４は、青色の透明アクリル板を用いる例とした。透明アクリル板１４は、十分光を透過するものである。本実施形態例においては、透明アクリル板１４は、青色としたが、例えば灰色など、他の色であってもよい。
【００２４】
フロント扉本体１１では、透明アクリル板１４の内側に金属蒸着膜１５が形成されることにより、透明アクリル板１４はハーフミラーとなる。従って、フロント扉本体１１の外側において、光の反射率が向上し、フロント扉本体１１を外側から見たときのフロント扉本体１１ではハーフミラー調の外観が得られる。このとき、金属蒸着膜１５が形成された透明アクリル板１４は光を透過する状態である。
【００２５】
そして、金属蒸着膜１５が形成された面上に、黒色の顔料を塗布して、黒色膜１６を形成することで、黒色膜１６が形成された部分は光を透過しないため、さらに、フロント扉本体１１の外側の光沢感が向上する。また、黒色膜１６を形成することにより、フロントパネルに構成された操作部９等が外側に透けて見えない為、外観がシンプルになる。一方、黒色膜１６が形成されていない透光窓１３は、光を透過する状態である。
【００２６】
そして、透明アクリル板１４の内側において、黒色膜１６が形成されていない透光窓１３部分には透明な反射層１７が形成される。この反射層１７により、透光窓１３部分においては、金属蒸着膜１５のみの構成よりも反射率が向上する。しかし、透光窓１３においては、黒色膜１６が形成されておらず、反射層１７は透明であるから光は透過される状態である。本実施形態例において、反射層１７は、透光窓１３上のみに形成したが、透光窓１３を含む位置であればよく、全面に形成する構成であってもよい。また、反射層１７を黒色膜１６が形成された後に形成する構成としたが、黒色膜１６が形成される前に反射層１７を形成してもよい。
【００２７】
支持部材１２は、透明アクリル板１４から構成されるフロント扉本体１１を補強できる材料から構成される。また、本実施形態例においては、支持部材１２は黒色で構成されている。
この支持部材１２は、フロント扉本体と張り合わせるときに、フロント扉本体１１の透光窓１３に対応する位置には開口１８が構成されている。そして、支持部材１２とフロント扉本体１１の内側が接着剤等により貼り合わされることにより、本実施形態例のフロント扉３が構成される。フロント扉本体１１には、黒色膜１６が形成されているので、支持部材１２と貼り合わせるときに用いられた接着剤はフロント扉３の外側からは見えない。また、支持部材１２の両端には、ＤＶＤレコーダ本体２に取り付ける際に用いられる取り付け部１９が構成されている。
【００２８】
図４及び図５に、上述のフロント扉３を取り付けたＤＶＤレコーダ１を示す。フロント扉３は、ＤＶＤレコーダ本体２のフロントパネル４を覆うように取り付けられ、フロントパネル４の表面とフロント扉３の間は、微小な空間が保持されている。また、図４及び図５は、フロント扉３が閉じた状態である。本実施形態例でフロント扉３は、図６に示すように操作部６、ディスクトレイ５、及び端子部７が露出されるように、下部にずれながら開く構成とされる。
【００２９】
フロント扉３の透光窓１３は、フロント扉３がＤＶＤレコーダ本体２に対して閉じたときと開いたときに、フロントパネル４に構成された表示部９、インジケータ８、リモコンの受光部１０に対応する位置に設けられているものである。従って、本実施形態例では、フロント扉３がＤＶＤレコーダ本体２に対して閉じているときは、フロント扉３の下側に構成された３つの透光窓１３が表示部９、インジケータ８、リモコン受光部１０に対応する位置になり、フロント扉３が下側にずれて開いた場合は、フロント扉３の上側に構成された３つの透光窓１３が表示部９、インジケータ８、リモコンの受光部１０に対応する位置になる。そして、表示部９及びインジケータ８からの光は、フロント扉３の透光窓１３を介してフロント扉３表面に浮き出るように表示される。また、リモコンからの赤外線信号も、透光窓１３を介して、受光部１０に入射される。
【００３０】
図４は、ＤＶＤレコーダ１の電源が入っていない状態を示している。従って、再生時に光るインジケータ８や、操作状況が表示される表示部９は消灯状態である。このとき、本実施形態例のフロント扉３は、全面に渡って均一な光沢を有しており、外からは、フロントパネル４に構成されている各々の構成が見えない状態となっている。本実施形態例では、青色の透明アクリル板１４を用いたので、フロント扉３の外観の光沢は全体的に青色である。
【００３１】
ところで、本実施形態例のフロント扉３は、透光窓１３が構成されており、この透光窓１３部分には、黒色膜１６も支持基板１２も構成されていない。このため、フロント扉３の透光窓１３が形成された部分と、その他の部分では、本来外側からの反射率が異なる。しかしながら、フロント扉３がＤＶＤレコーダ本体２に取り付けられたとき、フロント扉３の外観は、前述したように青色の均一な光沢を有するようになる。このように、本来反射率が異なる部分を有するフロント扉３における外観の均一性は、フロント扉３の透光窓１３部分に形成された反射層１７と、フロント扉３とフロントパネル４が保持する空間によるものである。
【００３２】
フロント扉３とフロントパネル４が保持する空間は微小であり、さらに、フロントパネル４の表面は全面黒色で構成されているため、フロント扉３の内側は暗い空間となる。インジケータ８や表示部９が消灯状態のときは、その暗い空間がフロント扉３の透光窓を介して外側に見えることになる。そして、暗い空間が保持されている効果により、透光窓１３部分も暗く見える。さらに、本実施形態では、フロント扉３の透光窓１３部分に反射層１７が形成されているために、透光窓１３部分の反射率が向上する。このため、フロント扉３の内側に黒色膜１６が形成されている部分と透光窓１３部分で、外側から見たときの光沢が均一になされる。従来のように、反射層１３が形成されない場合は、フロントパネル４を外側から見た際に、黒色膜１６が形成された部分と、黒色膜１６が形成されていない透光窓１３部分との境目が見えてしまっていた。すなわち、透光窓１３部分に形成される金属蒸着膜１５と、フロント扉３とフロントパネル４が保持する暗い空間のみでは、透光窓１３とそれ以外の部分において、暗さが異なり、外観の均一性が取られていなかった。
本実施形態例では、透光窓１３に反射層１７が形成されたことにより、黒色膜１５が形成された部分と、黒色膜１５が形成されていない部分の色のコントラストが均一化され、フロント扉３の全面が均一な光沢感を有するように見える。
【００３３】
図５は、ＤＶＤレコーダ１の電源が入っているときの状態を示している。図５は、フロント扉３を閉じた状態で再生操作を行っている状態であり、インジケータ８及び表示部９の文字や数字が点灯し、フロント扉３上に浮かび上がって見えている。フロント扉３の、インジケータ８及び表示部９に相当する部分は透光窓１３となっているため、それぞれの光を透過する。前述したように、本実施形態例では、透光窓１３に反射層１７が設けられているため外側からは透光窓１３が見えなくなっている。すなわち、フロント扉３に設けられた透光窓１３は、肉眼では認識できない。このため、ＤＶＤレコーダ１を操作した際には、ミラーのような均一な光沢を有するフロント扉３から、インジケータ８や表示部９の文字や数字のみが浮かび上がって見える。
【００３４】
次に、図６に、本実施形態例のフロント扉３を開いたときの例を示す。
本実施形態例のフロント扉３は、例えば、フロントパネル４の上段に設けられた録画・再生ボタン等の操作部６、ディスクトレイ５、端子部７のみが外側に露出されるように、下側に下がる構成である。そして、この下側に下がったフロント扉３において、フロント扉３の上段に設けられた透光窓１３が、フロントパネル４の下段に設けられた表示部９、インジケータ８、リモコンの受光部１０に相当する位置に来るようになる。このような構成では、フロント扉３が開いた状態であっても、リモコンの受光部１０に対応するフロント扉３には透光窓１３が構成されているため、リモコン操作が可能である。
また、フロント扉３が開いた状態においても、表示部９及びインジケータ８が点灯された場合は、透光窓１３を通して外側に浮かび上がるようにそれらの表示のみが見える。
【００３５】
このように、本実施形態例では、透光窓１３に反射層１７を構成することにより、外側から見たときには、フロント扉３が、透光窓１３部分とその他の黒色膜１６が蒸着された部分の境目が見えず、均一な光沢感を有するように見える。そして、操作した際には、均一な光沢を有するフロント扉３の表面から表示部９及びインジケータ８からの光が浮き出るように表示される。
【００３６】
そして、本実施形態例では、内側のフロントパネル４の構成が外側に見えないように構成されたフロント扉３において、外側から肉眼ではほとんど認識されない透光窓１３を通して、表示部９が表示されたり、リモコンからの赤外線信号が受光部１０に入射したりする。このような構成とすることで、よりシンプルなフロント扉３の構成が可能となる。
【００３７】
本実施形態例においては、電子機器としてＤＶＤレコーダを用い、カバー体として開閉自在なフロント扉としたが、これに限られるものではなく、他の電子機器にも用いられるものである。また、本実施形態例のカバー体は開閉自在なフロント扉としたが、開閉自在でなく、固定のフロント部品であってもよい。
【図面の簡単な説明】
【００３８】
【図１】本発明の一実施形態例に係るフロント扉の概略断面構成図である。
【図２】本発明の一実施形態例に係るフロント扉の概略構成図である
【図３】本発明の一実施形態例に係るＤＶＤレコーダの概略分解図である。
【図４】本発明の一実施形態例に係るＤＶＤレコーダの電源がオフのときを示す概略構成図である。
【図５】本発明の一実施形態例に係るＤＶＤレコーダの電源をオンしたときを示す概略構成図である。
【図６】本発明の一実施形態例に係るＤＶＤレコーダにおいて、フロント扉を開けたときの概略構成図である。
【符号の説明】
【００３９】
１・・ＤＶＤレコーダ、２・・ＤＶＤレコーダ本体、３・・フロント扉、４・・フロントパネル、５・・ディスクトレイ、６・・操作部、７・・端子部、８・・インジケータ、９・・表示部、１０・・受光部、１１・・フロント扉本体、１２・・支持部材、１３・・透光窓、１４・・透明アクリル板、１５・・金属蒸着膜、１６・・黒色膜、１７・・反射層
【図１】
2009087410.tif 000003
【図２】
2009087410.tif 000004
【図３】
2009087410.tif 000005
【図４】
2009087410.tif 000006
【図５】
2009087410.tif 000007
【図６】
2009087410.tif 000008